(57)【要約】【課題】  ユーザが任意のプレイリストを選択管理できるような記録再生装置を提供する。【解決手段】  登録された全てのプレイリスト情報を管理する管理単位及び上位の管理階層を追加し、該管理単位をＡＶデータ全ての再生範囲を示す統合情報と同列に扱うように構成する。また追加した管理階層でユーザ定義による統合情報を扱うように構成し、この統合情報には下位階層に含まれる任意の再生範囲を登録できるように構成する。【選択図】  図１
2010205401.tif 000002
【特許請求の範囲】
【請求項１】
記録媒体に記録されているＡＶデータと該ＡＶデータを管理する管理情報の編集を行う編集方法において、
該管理情報は、
該ＡＶデータと一対をなすプログラム情報と、
該プログラム情報の履歴を管理するためのオリジナル統合情報と、
ユーザが任意に定義可能であり、該ＡＶデータの再生位置を管理するユーザ定義によるプログラム情報と、
該ユーザ定義によるプログラム情報もしくは該ＡＶデータと一対をなすプログラム情報の再生シーケンスを管理するプレイリスト情報と、
該プレイリスト情報の履歴の管理を行うプレイリスト統合情報を持ち、
該プレイリスト統合情報の履歴を書きかえることにより、プレイリスト一覧の表示順序を変更することを特徴とする編集方法。
【請求項２】
入力されたＡＶデータを受信する受信回路と、
該受信回路で受信したＡＶデータを記録媒体に記録する記録系信号処理回路と、
該ＡＶデータを該記録媒体から再生する再生系信号処理回路と、
該再生系信号処理回路より読み出されたＡＶデータを出力する出力手段と、
ユーザが操作をするためのユーザインターフェース手段と、
該ユーザインターフェース手段からの入力により上記の各回路を制御する制御手段と
を有し、
記録時には、該制御手段と該記録系信号処理回路により
該ＡＶデータと、該ＡＶデータを管理する管理情報を記録する記録再生装置であって、
該管理情報は、
該ＡＶデータと一対をなすプログラム情報と、該プログラム情報の履歴を管理するためのオリジナル統合情報と、
ユーザが任意に定義可能であり、該ＡＶデータの再生位置を管理するユーザ定義によるプログラム情報と、
該ユーザ定義プログラム情報もしくは前期オリジナルプログラム情報の再生シーケンスを管理するプレイリスト情報と、
該プレイリスト情報の履歴の管理を行うプレイリスト統合情報を持ち、
前期ユーザインターフェース手段からの指示により、前期制御部は、該プレイリスト統合情報の履歴の登録順序を書きかえることにより、プレイリスト一覧の表示順序を変更することを特徴とする記録再生装置。
【発明の詳細な説明】
【技術分野】
【０００１】
本発明は、記録媒体にデータを記録及び再生する記録再生装置に関する。
【背景技術】
【０００２】
高能率符号化技術の進展に伴い、映像や音声といったＡＶデータをデジタルデータとして符号量圧縮し、ハードディスクや記録型光ディスクなどの大容量の記録媒体へリアルタイムに記録することが可能となっている。また、これらの記録媒体を備えた記録再生装置では、放送や通信により、既に符号量圧縮された状態でデジタルデータが外部から入力された場合、これらのデジタルデータをそのまま記録媒体へ記録することも可能である。
【０００３】
これらの記録再生装置では、記録するデジタルデータを管理するための管理情報を生成し、同一の記録媒体上へ合わせて記録する。記録媒体として書換え可能なものを用いた場合、前記管理情報を書換えて再生順序を示すリスト(以降、プレイリストと呼ぶ)を生成、操作することにより、ユーザは記録再生装置上での編集作業ができる（例えば、特許文献１参照）。
【先行技術文献】
【特許文献】
【０００４】
【特許文献１】特開２０００−１５２１８０号公報
【発明の概要】
【発明が解決しようとする課題】
【０００５】
上記従来技術においては、プレイリストはＡＶデータの部分をつなぎ合わせ、再生順序を指し示したものである、ということについて言及している。一例として、上記従来技術における記録媒体上のＡＶデータの管理状態を図２に示す。
【０００６】
２０１は記録媒体上のＡＶデータそのものであり、記録単位としてプログラム＃１〜プログラム＃３が存在する場合を示している。２０２は管理情報における第２管理階層(管
理レベル２)を示しており、オリジナルセル情報＃１〜オリジナルセル情報＃３は、夫々
プログラム＃１〜プログラム＃３というプログラム単位の全ての再生範囲を示すものとなっている。またユーザ定義セル情報＃１〜ユーザ定義セル情報＃２はユーザが任意に指定したプログラムの全体あるいは一部の再生範囲を示すものであり、その数はユーザの編集操作により増減する。２０３は管理情報の第１管理階層(管理レベル１)を示しており、プログラムセット情報は前記オリジナルセル情報＃１〜オリジナルセル情報＃３の全てを含むものであり、これを元に再生することにより、ユーザは記録媒体上に記録された全てのＡＶデータを再生することができる。またプレイリスト情報＃１〜プレイリスト情報＃ｋはユーザが任意に指定した前記ユーザ定義セル情報の再生順序を示すものであり、複数持つことが可能である。２０４で示す枠内が、管理情報におけるＡＶデータ全体を管理するオリジナル情報であり、２０５で示す枠内がユーザの編集操作によるプレイリストを管理するためのユーザ定義情報となる。
【０００７】
図２において、プレイリスト情報はプログラムセット情報と同列に、管理レベル１として管理されるため、複数のプレイリスト情報自体の順番は一意に決まってしまい、例えばプレイリストの一覧を、ユーザインターフェース上で、その表示順番を変更したりすることを行うことができなかった。本発明は、かかる点に鑑みてなされたものであり、その目的はユーザが任意にプレイリストの一覧表示順番を、ユーザインターフェース上で並べ替え操作できるような記録方式や装置を提供することにある。
【０００８】
また、従来例では、複数のユーザが好みのプレイリスト情報を生成選択して管理するといった点についても考慮されていなかった。例えば複数のユーザが夫々好みのプレイリスト情報を生成、選択して管理したいと思っても実現することができなかった。またユーザが複数のプレイリストのうち、任意の幾つかのプレイリストを選択して管理するということに関しても特に考慮されていなかった。
【０００９】
本発明は係る点に鑑みて成されたものであって、その目的はユーザが任意のプレイリストを選択管理できるような記録再生装置を提供することにある。
【課題を解決するための手段】
【００１０】
上記目的を達成するために本発明では、登録された全てのプレイリスト情報を管理する管理単位及び上位の管理階層を追加し、該管理単位はＡＶデータ全ての再生範囲を示す統合情報と同列に扱うように構成する。また追加した管理階層でユーザ定義による統合情報を扱うように構成し、この統合情報には下位階層に含まれる任意の再生範囲を登録できるように構成する。
【００１１】
本発明による記録再生装置によれば、ユーザは任意のプレイリスト、あるいは再生範囲を選択して管理することが可能となるため、単一の記録媒体を複数のユーザが共有する場合などでも、ユーザ毎に好みの再生内容を管理することができ、使い勝手が向上するし、プレイリストを統合管理するので、プレイリストの表示順などをユーザが任意に変更が可能となる。
【発明の効果】
【００１２】
本発明により、使い勝手を向上した記録再生装置を提供することができる。
【図面の簡単な説明】
【００１３】
【図１】実施例による記録再生装置でＡＶデータの管理状態を示す図。
【図２】従来例によるＡＶデータの管理状態を示す図。
【図３】実施例による記録再生装置のブロック図。
【図４】オリジナル統合情報の表示出力例。
【図５】プレイリスト統合情報の表示出力例。
【図６】ユーザ定義統合情報の第１の表示出力例。
【図７】ユーザ定義統合情報の第２の表示出力例。
【図８】各オリジナル統合情報、プレイリスト統合情報、ユーザ定義統合情報、及びプレイリスト情報、プログラム情報、ＡＶデータ（プログラム）のファイル構造の一例を示した図。
【図９】各オリジナル統合情報、プレイリスト統合情報、ユーザ定義統合情報の管理テーブル構造の一例を示したもの。
【図１０】プレイリスト情報の管理テーブルの一例を示したもの
【図１１】プログラム情報の管理テーブルの一例をしめしたもの
【図１２】プレイリスト統合情報の表示出力例。
【図１３】ユーザ定義情報＃ｍの内容の示すテーブルの一例をしめしたもの
【発明を実施するための形態】
【００１４】
以下、図面を用いて本発明の実施形態について説明する。図１は本発明による記録再生装置における、記録媒体上のＡＶデータの管理状態を示す図である。１０１は図２における２０１と同様に、記録媒体上のＡＶデータそのものであり、記録単位としてプログラム＃１〜プログラム＃３が存在する場合を示している。
【００１５】
１０２は図２における２０２に相当し、ここでは管理情報における第３管理階層(管理
レベル３)を示している。プログラム情報＃１〜プログラム情報＃３は、夫々プログラム
＃１〜プログラム＃３というプログラム単位の全ての再生範囲を示すものとなっている。またプログラム情報＃２ａ〜プログラム情報＃３ａはユーザが任意に指定したプログラムの全体あるいは一部の再生範囲を示すものであり、ここでは夫々プログラム＃２の一部、プログラム＃３の一部を示している。プログラム情報＃１〜プログラム情報＃３に相当する箇所は、ＡＶデータの追記、つまりプログラムの増加に伴いその情報も追加する。またプログラム情報＃２ａやプログラム情報＃３ａに相当する箇所は、ユーザの編集操作により、その情報の数が増減する。
【００１６】
１０３は図２における管理レベル１に相当するが、ここでは管理情報の第２管理階層(
管理レベル２)を示しており、プレイリスト情報＃１〜プレイリスト情報＃ｎのみを含む
。夫々のプレイリスト情報は前記管理レベル３における任意のプログラム情報の再生順序を示すものであり、複数持つことが可能となっている。
【００１７】
１０４が本発明の特徴的な点として、新たに追加した管理情報の第１管理階層(管理レ
ベル１)であり、複数の統合情報を含む。オリジナル統合情報は図２におけるプログラム
セット情報に相当し、管理レベル３におけるプログラム情報＃１〜プログラム情報＃３の全てを含み、これを元に再生することにより、ユーザは記録媒体上に記録された全てのＡＶデータを再生することが可能となる。プレイリスト統合情報は管理レベル２におけるプレイリスト情報＃１〜プレイリスト情報＃ｎの全てを含み、これを元に再生することにより、ユーザは登録されている全てのプレイリストを順次再生することが可能となる。ユーザ定義統合情報＃１〜ユーザ定義統合情報＃ｍは、管理レベル２におけるプレイリスト情報及び管理レベル３におけるプログラム情報のうちの任意の一つあるいは複数を含むものである。例えば複数のユーザが単一の記録媒体を用いる場合に、ユーザ単位に一つのユーザ定義統合情報を使用することにより、夫々のユーザの嗜好に合致した再生内容を管理することが可能となる。
次に本発明による記録再生装置の実施形態について、別の図を用い、もう少し具体的に説明する。
【００１８】
図３は本発明による記録再生装置の一例を示すブロック図であり、デジタル放送を受信して記録媒体に記録し、また記録したデータを再生し、再生出力を得ることができるような記録再生装置を示している。３００は記録再生装置、３０１はアンテナからの受信波を入力する入力端子、３０１１は他の機器からの圧縮された映像音声データを入力するための入力端子、３０１２はアナログ映像信号を入力するためのアナログ映像入力端子、３０１３はアナログ音声信号を入力するためのアナログ音声入力端子、３３３及び３３４は、アナログ信号をデジタル信号に変換するアナログ／デジタル（Ａ／Ｄ）変換回路、３０２は復調回路、３３０は復調したデジタル信号を音声、映像、その他のデータに分離する分離回路、３３５はデジタル化された映像及び音声信号を圧縮する圧縮回路、３０３は記録系信号処理回路、３３１は記録するデータを暗号化するための暗号化回路、３０４は記録媒体のドライブ機能を含めた記録再生系、３０５は記録媒体、３３２は記録媒体上に暗号化され記録されたデータを非暗号化するための非暗号化回路、３０６は再生系信号処理回路、３０７は切替え回路、３０８は分離回路、３０９は映像復号回路、３１０はデジタル／アナログ(Ｄ／Ａ)変換回路、３１１は映像出力端子、３１２は音声復号回路、３１３はＤ／Ａ変換回路、３１４は音声出力端子、３１５はＴＶセット、３１６はユーザＩ／Ｆ、３１７は制御部、３１８はシステムバス、３１９はＯＳＤ生成部、３２０は加算回路である。
【００１９】
記録時においては、デジタル放送などにより送信され、受信された信号が、復調回路３０２において所定の方式により復調された後、記録系信号処理回路３０３においてタイミング調整用のデータ付加や変調などの必要な信号処理が施されて、暗号化回路３３１にて暗号化された後、記録再生系３０４により記録媒体３０５へ記録される。また、デジタル入力端子３０１１より入力されたデジタル信号は記録系信号処理回路３０３においてタイミング調整用のデータ付加や変調などの必要な信号処理が施されて、暗号化回路３３１にて暗号化された後、記録再生系３０４により記録媒体３０５へ記録される。また、アナログ映像入力端子３０１２より入力されたアナログ映像信号と、アナログ音声入力端子３０１３より入力されたアナログ音声信号は、圧縮回路３３５によって圧縮処理がなされ、記録系信号処理回路３０３を介し、暗号化回路３３１にて暗号化された後、記録再生系３０４により記録媒体３０５へ記録される。
【００２０】
再生時においては、ユーザの指示に応じて記録媒体３０５から記録再生系３０４を介して読み出された暗号化されたデジタルデータは、非暗号化回路３３２にて非暗号化され、再生系信号処理回路１０３において所定の変調方式に則った形式で復調等の再生に必要な信号処理が施され、切替え回路３０７を介して分離回路３０８に送られる。映像復号回路３０９では所定の映像復号処理が施されて、Ｄ／Ａ変換回路３１０においてデジタルデータからアナログ信号への変換が成された後、映像出力端子３１１を介してＴＶセット３１５のモニタ出力へと表示される。また音声復号回路３１２では所定の音声復号処理が成され、Ｄ／Ａ変換回路３１３においてデジタルデータからアナログ信号への変換が成された後、音声出力端子３１４を介してＴＶセット３１５の音声出力機構により出力される。
【００２１】
制御部３１７は、システムバス３１８を介して記録再生装置３００の各部を制御するものであり、またユーザＩ／Ｆ３１６を介して入力されたユーザの指示入力に基づいた動作を行うように、装置全体を制御する。なおユーザへの指示入力要求、あるいは必要なユーザへのＯＳＤ表示は、ＯＳＤ生成部３１９で用意され、加算回路３２０において、映像復号回路３０９の出力と適当なレベルで加算されて、最終的にＴＶセット３１５のモニタ画面に出力されることにより実現される。
【００２２】
次に図１における管理情報構成の具体的な使用例として、管理レベル１における各統合情報を記録データのメニュー表示に使用した場合について説明する。
【００２３】
図４は図１におけるオリジナル統合情報を使用してメニュー表示を行う一例である。３１５は図３におけるＴＶセットであり、４０１は全プログラム表示用のタグ、４０２はプログラム情報＃１を示すサムネイル、４０３はプログラム情報＃２を示すサムネイル、４０４はプログラム情報＃３を示すサムネイルである。ユーザはリモコン等により画面上のカーソル位置を所望のサムネイルに移動して選択決定することにより、任意のプログラム
、あるいは全てのプログラムを再生することができる。
【００２４】
次に図５は図１におけるプレイリスト統合情報を使用してメニュー表示を行う一例である。５０１は全プレイリスト表示用のタグ、５０２はプレイリスト情報＃１を示すサムネイル、５０３はプレイリスト情報＃２を示すサムネイルである。ユーザは前述の場合と同様にリモコン等により画面上のカーソル位置を所望のサムネイルに移動して選択決定することにより、任意のプレイリスト、あるいは全てのプレイリストを再生することができる
。なお前述の全プログラム表示用タグ４０１から全プレイリスト表示用タグ５０１への表示切り替えは、ユーザが例えばタグの文字位置でカーソルを移動することなどにより実現することが可能である。
【００２５】
次に図６は図１におけるユーザ定義統合情報＃１を使用してメニュー表示を行う一例である。６０１はユーザ＃１(ここでは「ママ」としている)用メニュー表示用のタグであり
、４０２と５０２は図１からわかるように、プログラム情報＃１及びプレイリスト情報＃１を示すサムネイルとなっている。「ママ」はママ用メニュー表示用タグ６０１を自分専
用のフォルダとして、自由に再生したいデータを登録、削除することが可能である。
同様に図７は図１におけるユーザ定義統合情報＃２を使用してメニュー表示を行う一例である。７０１はユーザ＃２(ここでは「パパ」としている)用メニュー表示用のタグであり
、５０３と５０２は図１からわかるように、プレイリスト情報＃２及びプレイリスト情報＃１を示すサムネイルとなっている。この場合「パパ」２つのプレイリストを選択しているが、その再生順序を変更することが可能となっている。また前述の「ママ」と同様に、「パパ」はパパ用メニュー表示用タグ７０１を自分専用のフォルダとして、自由に再生したいデータを登録、削除することが可能である。
【００２６】
以上のように本発明の実施例によれば、登録された全てのプレイリスト情報を管理する管理単位及び上位の管理階層を追加し、ＡＶデータ全ての再生範囲を示す統合情報と同列に扱うように構成し、また追加した管理階層でユーザ定義による統合情報を扱うように構成し、この統合情報には下位階層に含まれる任意の再生範囲を登録できるように構成することにより、ユーザは任意のプレイリスト、あるいは再生範囲を選択して管理することが可能となるため、単一の記録媒体を複数のユーザが共有する場合などでも、ユーザ毎に好みの再生内容を管理することができ、使い勝手が向上する。
【００２７】
なお以上の実施例では、デジタル放送を受信してデジタルデータをそのまま記録する場合について述べたが、これはこの限りではなく、ネットワークＩ／Ｆを具備し、外部ネットワークからＡＶデータを取得したり、符号化手段を具備し、アナログデータを符号化しながら記録媒体に記録するような構成でも良い。つまり本実施例は記録媒体上のデータ管理について言及しているものであり、その入力経路については特に限定されるものではない。
【００２８】
図8に、上記に述べたプログラムやプログラム情報、プレイリスト情報、及びオリジナ
ル統合情報、プレイリスト統合情報、ユーザ定義情報を、実際に記録媒体３０５（図３）上にどのようなファイル構成で記録するかの一例を示す。本記録媒体は、デジタル記録再生を行う媒体であり、媒体上の各ファイルは、いわゆるパーソナルコンピュータなど記録媒体の管理に用いられるのと同様のファイルシステムで管理されている。同図においてＲＯＯＴ８００は、ファイルディレクトリの最上位階層を示し、ＴＶ＿ＲＥＣ８０１はその下層のディレクトリであり、本発明にかかる図1に示した管理構造を実現する各ファイル
のＴＶＲＥＣ．ＭＡＮ８０２、ＰＧＲＧ．ＩＦＯ８０３、ＰＧＲ．ＩＦＯ８０４、ＰＲＯＧ０００１．ＴＳ８０５・・・・がＴＶ＿ＲＥＣ８０１内に記録される。ＴＶＲＥＣ．ＭＡＮ８０２は、図1に示すところの管理レベル1のオリジナル統合情報と、プレイリスト統合情報と、ユーザ定義統合情報＃1から＃ｍまでの情報が、管理テーブルとして記述され
る。またＰＧＲＧＩＦＯ８０３は、図1に示すところの管理レベル２のプレイリスト情報
＃１から＃ｎの各情報は管理テーブルとして記録される。ＰＧＲ．ＩＦＯ８０４には、図
1に管理レベル3の各情報プログラム情報＃１〜#3aの情報が管理テーブルが記録される。
ＰＲＯＧ０００１．ＴＳ８０５、ＰＲＧ０００２．ＴＳ８０６、ＰＲＯＧ０００３．ＴＳ８０７は、各プログラムのＡＶデータの実体ファイルであり、例えば一回の記録開始から記録停止までをＰＲＯＧ０００１．ＴＳとし、次の記録開始から記録停止までをＰＲＯＧ０００２.ＴＳという具合にファイル名を更新して記録し、そののちに各上記管理ファイ
ル８０２から８０４を更新する。
【００２９】
なお、各ファイルの管理構造TVREC.MAN８０２、ＰＧＲＧ．ＩＦＯ８０３、ＰＧＲ．Ｉ
ＦＯ８０４、ＰＲＯＧ０００１．ＴＳ８０５,・・・・に関してのファイル構造、管理テ
ーブルの構成自体は、いかなる方法にて構成されてもよいが、図１の場合の管理構成を、上記各ファイルによっていかに実現するかの一例を以下にしめす。
【００３０】
図９は、ＴＶＲＥＣ．ＭＡＮ８０１（図８）の管理テーブル構成を示したものである。オリジナル統合情報９０１として、プログラム情報数９０１１として記録されたＡＶデータの数、すなわちＡＶデータの実体ファイル（ＰＲＯＧ０００１．ＴＳ８０５、ＰＲＯＧ０００２．ＴＳ８０６、ＰＲＯＧ０００３．ＴＳ８０７で、この場合は３は入る）の総数が記述され、さらにその下に各オリジナルのプログラム情報の位置テーブル９０１２が記録される。また、プレイリスト統合情報９０２として、各プレイリスト＃１から＃３ａまでのプレイリスト位置情報テーブル９０２１以下に記録される。また９０３１以降には、ユーザ定義統合情報の数が記録され、それ以降にユーザ定義情報の＃１から＃ｍまでの内容が記録される。
【００３１】
また図１３は、前記したユーザ定義情報＃ｍの内容を表した図である。ユーザ定義情報＃ｍは、どのオリジナルのプログラム情報と、どのプレイリスト情報から組み合わさっているかを、テーブルとして持つ。
【００３２】
図１０は、図１の管理レベル２に相当する、ＰＧＲＧ．ＩＦＯ８０３（図８）の管理テーブルを示したものである。プレイリスト情報１００１として、最初にプレイリスト情報の総数が１００１１記述され（この場合はｎ）、その下の１００１２から各プレイリスト
情報＃１から＃ｎまでの内容が記述してある位置をテーブルとして記録される。さらに１００１３から各プレイリスト＃１から＃ｎまでの内容（再生シーケンスの内容で、後述するＡＶデータの再生開始位置や再生終了位置などをしめす、プログラム情報などを、どう組み合わせるか、の管理テーブル）が記録される。
【００３３】
図１１は図１の管理レベル３に相当する、ＰＧＲ．ＩＦＯ８０４（図８）の管理テーブルを示したものである。プログラム情報１１０１として、プログラム情報（オリジナル情報のプログラム＃１、＃２、＃３（図1）に一対をなすプログラム情報と、ユーザが定義
したプログラム情報＃２ａや３ａ（図１）のすべてを含むプログラム情報の数が１１０１１に記録され、以降の１１０１２にプログラム情報＃１から＃３ａまでの各プログラム情報の内容を記述した位置を示すテーブルが、さらに１１０１３以降に各プログラム情報＃１から＃３ａの内容（各ＡＶデータファイルのＰＲＯＧ０００１．ＴＳ８０５、ＰＲＯＧ０００２．ＴＳ８０６、ＰＲＯＧ０００３．ＴＳ８０７（図８）のどこからどこまでを再生する位置を記述）が記録される。
【００３４】
以上のように管理すれば、たとえばプレイリスト位置テーブル９０２１の位置情報をソートして、プレイリストをＧＵＩ画面上に表示する順番などを図５の状態から図１２の状態に変更することが可能となり、プレイリストの数が非常に多くなった場合、ユーザの使用頻度の高いプレイリストをＧＵＩ画面上の最初に表示するようにできるので、ユーザにとって使い勝手のよい記録再生装置、もしくは再生装置もしくは記録方法を実現できるし
、例えば複数のユーザが自分の見たいプレイリストや記録されたオリジナルのコンテンツを自由に個別に設定できるので、記録しているプログラムの数が非常に多数にわたった場合でも、自分のみたいプログラムを、自分が定義したフォルダを参照することができるので、すばやく見たいプログラムを見つけ出すことができる。
【００３５】
なお、本実施例では、ユーザ定義のプレイリスト統合情報と、ユーザ定義統合情報＃１から＃ｍを明確に区別しているが、はユーザ定義統合情報のオリジナルのプログラム情報とのリンクを持たないユーザ定義のプレイリスト統合情報の位置付けであってもよい。
【符号の説明】
【００３６】
１０１、２０１ … プログラム(ＡＶストリーム)
１０２ … 管理情報における第３階層
１０３、２０２ … 管理情報における第２階層
１０４、２０３ … 管理情報における第１階層
３０３ … 記録系信号処理
３０４ … 記録再生系
３０５ … 記録媒体
３０６ … 再生系信号処理
３１５ … ＴＶセット
３１６ … ユーザＩ／Ｆ
３１７ … 制御部
３１８ … システムバス
３１９ … ＯＳＤ生成部
４０１ … 全プログラム表示用タグ
５０１ … 全プレイリスト表示用タグ
６０１ … ユーザ＃１用メニュー表示用タグ
７０１ … ユーザ＃２用メニュー表示用タグ
【図１】
2010205401.tif 000003
【図２】
2010205401.tif 000004
【図３】
2010205401.tif 000005
【図４】
2010205401.tif 000006
【図５】
2010205401.tif 000007
【図６】
2010205401.tif 000008
【図７】
2010205401.tif 000009
【図８】
2010205401.tif 000010
【図９】
2010205401.tif 000011
【図１０】
2010205401.tif 000012
【図１１】
2010205401.tif 000013
【図１２】
2010205401.tif 000014
【図１３】
2010205401.tif 000015
【手続補正書】
【提出日】平成22年4月13日(2010.4.13)
【手続補正１】
【補正対象書類名】特許請求の範囲
【補正対象項目名】全文
【補正方法】変更
【補正の内容】
【特許請求の範囲】
【請求項１】
記録媒体に記録されているＡＶデータと該ＡＶデータを管理する管理情報の編集を行う編集方法において、
該管理情報は、
該ＡＶデータと一対をなすプログラム情報と、
該プログラム情報の履歴を管理するためのオリジナル統合情報と、
ユーザが任意に定義可能であり、該ＡＶデータの再生位置を管理するユーザ定義によるプログラム情報と、
該ユーザ定義によるプログラム情報もしくは該ＡＶデータと一対をなすプログラム情報の再生シーケンスを管理するプレイリスト情報と、
該プレイリスト情報の履歴の管理を行うプレイリスト統合情報を持ち、
該プレイリスト統合情報の履歴を書きかえることにより、プレイリスト一覧の表示順序を変更することを特徴とする編集方法。
【手続補正２】
【補正対象書類名】明細書
【補正対象項目名】００１０
【補正方法】変更
【補正の内容】
【００１０】
上記目的を達成するために本発明では、一例として、特許請求範囲記載の構成を用いる。
【手続補正３】
【補正対象書類名】明細書
【補正対象項目名】００１１
【補正方法】削除
【補正の内容】
【手続補正４】
【補正対象書類名】明細書
【補正対象項目名】００３５
【補正方法】変更
【補正の内容】
【００３５】
なお、本実施例では、ユーザ定義のプレイリスト統合情報と、ユーザ定義統合情報＃１から＃ｍを明確に区別しているが、はユーザ定義統合情報のオリジナルのプログラム情報とのリンクを持たないユーザ定義のプレイリスト統合情報の位置付けであってもよい。
以上、本発明の好適な実施例について説明した。本発明の一実施態様によれば、登録された全てのプレイリスト情報を管理する管理単位及び上位の管理階層を追加し、該管理単位はＡＶデータ全ての再生範囲を示す統合情報と同列に扱うように構成する。また追加した管理階層でユーザ定義による統合情報を扱うように構成し、この統合情報には下位階層に含まれる任意の再生範囲を登録できるように構成する。
本発明による記録再生装置によれば、ユーザは任意のプレイリスト、あるいは再生範囲を選択して管理することが可能となるため、単一の記録媒体を複数のユーザが共有する場合などでも、ユーザ毎に好みの再生内容を管理することができ、使い勝手が向上するし、プレイリストを統合管理するので、プレイリストの表示順などをユーザが任意に変更が可能となる。